(57)【特許請求の範囲】
【請求項１】
電気絶縁性の可撓性チューブの先端近傍に、軸線方向に間隔をあけて一対の側孔が穿設され、上記可撓性チューブ内に挿通配置された導電ワイヤが、上記一対の側孔の間において上記可撓性チューブ外に露出するように上記一対の側孔に通された内視鏡用高周波切開具において、
上記一対の側孔の各々の前後にまたがって硬質パイプを上記可撓性チューブ内に密着固定して、上記各硬質パイプの中間位置から上記側孔に上記導電ワイヤを通し、上記一対の側孔の間の部分の上記可撓性チューブ内にコイルスプリングを配置して、上記二つの硬質パイプで上記コイルスプリングを軸線方向に圧縮した状態に保持し、上記コイルスプリングの伸展力が上記可撓性チューブの先端付近を真っ直ぐにさせるように作用することを特徴とする内視鏡用高周波切開具。
【請求項２】
上記コイルスプリングが、帯材を一定の径で螺旋状に巻いて形成されている請求項１記載の内視鏡用高周波切開具。
【発明の詳細な説明】
【０００１】
【発明の属する技術分野】
この発明は、内視鏡の処置具挿通チャンネルに通して使用され、高周波電流を通電して人体組織を切開する内視鏡用高周波切開具に関する。
【０００２】
【従来の技術】
内視鏡用高周波切開具としては、電気絶縁性の可撓性チューブの先端近傍にその軸線方向に間隔をあけて一対の側孔を穿設し、可撓性チューブ内に挿通配置された導電ワイヤを一対の側孔の間において可撓性チューブ外に露出させた構造のものが広く用いられている（実開昭５５−１８０５０２号、実公平６−１１２８号等）。
【０００３】
上述のような内視鏡用高周波切開具においては、導電ワイヤを手元側から牽引して一対の側孔の間で可撓性チューブを弓状に撓ませる引っ張りタイプと、逆に導電ワイヤを手元側から押し込んで一対の側孔の間で膨出させる押し込みタイプとがある。
【０００４】
【発明が解決しようとする課題】
内視鏡用高周波切開具は、上述のような引っ張りタイプ及び押し込みタイプのいずれの場合も、図４に示されるように、内視鏡の処置具起上部９１を通過することにより可撓性チューブ９２の先端近傍に曲がり癖が付いてしまう場合があり、引っ張りタイプの場合には導電ワイヤ９３を牽引操作することで強い曲がり癖が付いてしまう場合がある。
【０００５】
そのように可撓性チューブが強く曲げられると、座屈を起こして使用不能になってしまうので、それを防止するために、可撓性チューブの先端近傍内にコイルスプリングを配置したものもある（実開昭５５−１７５４０３号等）。
【０００６】
しかし、そのようなコイルスプリングの存在は、可撓性チューブの折れ防止には役立っても、可撓性チューブを真っ直ぐに伸ばす力にはさほど寄与せず、可撓性チューブの曲がり癖を真っ直ぐに戻すことはできない。
【０００７】
そして、可撓性チューブの先端近傍に曲がり癖が付いてしまうと、例えば十二指腸から膵胆管内への挿入が困難になったり、例え挿入ができても、図５に示されるように可撓性チューブ９２の先端が管壁に強く突き当たって塞がれ、状態を確認するために必要な造影剤送出ができなくなってしまう場合がある。
【０００８】
そこで本発明は、導電ワイヤが露出して配置された可撓性チューブの先端近傍部分に曲がり癖が付き難く、使い易くて耐久性の優れた内視鏡用高周波切開具を提供することを目的とする。
【０００９】
【課題を解決するための手段】
上記の目的を達成するため、本発明の内視鏡用高周波切開具は、電気絶縁性の可撓性チューブの先端近傍に、軸線方向に間隔をあけて一対の側孔が穿設され、可撓性チューブ内に挿通配置された導電ワイヤが、一対の側孔の間において可撓性チューブ外に露出するように一対の側孔に通された内視鏡用高周波切開具において、一対の側孔の間の部分の可撓性チューブ内に、可撓性チューブの軸線方向に圧縮した状態でコイルスプリングを配置したものである。
【００１０】
なお、コイルスプリングの両端を受ける硬性パイプ材を可撓性チューブ内に固定して、コイルスプリングを圧縮状態に保持することができる。
【００１１】
【発明の実施の形態】
図面を参照して本発明の実施例を説明する。
図２は、本発明の実施例の内視鏡用高周波切開具を示しており、１は、例えば直径が２ｍｍ程度で全長が２ｍ程度の四フッ化エチレン樹脂製チューブ等からなる電気絶縁性の可撓性チューブであり、図示されていない内視鏡の処置具挿通チャンネルに挿脱される。
【００１２】
可撓性チューブ１の先端は前方に向けて開口している（先端開口１ａ）。そして可撓性チューブ１内には、可撓性のある導電ワイヤ２がほぼ全長にわたって軸線方向に進退自在に挿通されており、操作部１０側から任意に進退操作することができる。
【００１３】
操作部１０には、導電ワイヤ２の基端部分が連結されたスライダー１１が進退自在に配置されており、図示されていない高周波電源コードが接続される接続端子１２が導電ワイヤ２に導通する状態に配置されている。
【００１４】
また、可撓性チューブ１と操作部１０との接続部付近には、可撓性チューブ１内に連通する造影剤注入口１３が突出形成されていて、導電ワイヤ２が操作部１０側に抜ける部分にはシール用のＯリング１４が配置され、造影剤注入口１３が操作部１０側と連通しないようになっている。
【００１５】
可撓性チューブ１の先端部分には、図１に拡大して図示されるように、一対の側孔３，４が軸線方向に例えば２〜５ｃｍ程度の間隔をあけて形成されており、先側の側孔３は外方から内方へ斜め前方に傾けて形成され、後側の側孔４は外方から内方へ斜め後方に傾けて形成されている。
【００１６】
そして、可撓性チューブ１内に挿通配置された導電ワイヤ２の先端付近の部分が、一対の側孔３，４に通されて、両側孔３，４の間においてだけ可撓性チューブ１の外部に露出する状態に配置されている（露出部２ａ）。
【００１７】
先側の側孔３の内側には、導電ワイヤ２の先端部分２ｂが固着された例えばステンレス鋼管からなるワイヤ固定用硬質パイプ５が、可撓性チューブ１内に密着固定された状態にきつく嵌挿配置されている。
【００１８】
ワイヤ固定用硬質パイプ５には、導電ワイヤ２が通過する孔６が中間部分の側壁に先側の側孔３と向きを合わせて斜めに形成され、その孔６に通された導電ワイヤ２の先端部分２ｂが、ワイヤ固定用硬質パイプ５の内周面に銀ロー付け等によって固着され、孔６の隙間も塞がれている。ただし、ワイヤ固定用硬質パイプ５そのものは軸線方向に貫通している。
【００１９】
ワイヤ固定用硬質パイプ５は可撓性チューブ１内にきつく嵌挿されており、ワイヤ固定用硬質パイプ５を可撓性チューブ１内に嵌め込んでから可撓性チューブ１を加熱して縮径させることにより、可撓性チューブ１内にワイヤ固定用硬質パイプ５を密着固定させることができる。
【００２０】
或いは、ワイヤ固定用硬質パイプ５の外径を予め可撓性チューブ１の内径より僅かに太く形成して、ワイヤ固定用硬質パイプ５を可撓性チューブ１内に圧入することにより密着固定してもよい。
【００２１】
ワイヤ固定用硬質パイプ５は、そのような状態で先側の側孔３の前後にまたがる位置に配置されており、それによって、可撓性チューブ１の内部と先側の側孔３との間がほとんど塞がれている。
【００２２】
後側の側孔４の内側には、導電ワイヤ２が進退自在に通過する通孔８が中間部分の側壁に後側の側孔４と向きを合わせて斜めに形成された例えばステンレス鋼管からなるワイヤ通過用硬質パイプ７が、可撓性チューブ１内に密着固定された状態にきつく嵌挿配置されている。
【００２３】
そして、ワイヤ通過用硬質パイプ７はワイヤ固定用硬質パイプ５と同様の態様で、後側の側孔４の前後にまたがる状態で可撓性チューブ１に配置されており、それによって、可撓性チューブ１の内部と後側の側孔４との間がほとんど塞がれている。
【００２４】
ワイヤ固定用硬質パイプ５とワイヤ通過用硬質パイプ７との間には、例えばステンレス鋼線製のコイルスプリング９が、可撓性チューブ１の軸線方向に圧縮された状態で可撓性チューブ１内に配置されている。
【００２５】
コイルスプリング９の外径寸法は、可撓性チューブ１内に緩く嵌挿される程度の太さであり、この実施例においては断面形状が円形のステンレス鋼線が用いられている。
【００２６】
図１には、コイルスプリング９の圧縮前の状態と、可撓性チューブ１内に組み込まれて圧縮された状態の双方が図示されており、このようにコイルスプリング９を可撓性チューブ１内に配置することにより、その部分で可撓性チューブ１が折れ曲がるのを防ぐことができ、耐久性が向上する。
【００２７】
また、可撓性チューブ１の軸線方向に圧縮された状態で可撓性チューブ１内に配置されたコイルスプリング９は、その伸展力によって可撓性チューブ１を真っ直ぐに伸ばそうとするので、両側孔３，４の間で可撓性チューブ１に曲がり癖が付きかけても、コイルスプリング９がそれを強制的に真っ直ぐの状態に戻すので可撓性チューブ１に曲がり癖が付き難い。
【００２８】
このように構成された実施例の内視鏡用高周波切開具においては、操作部１０側から導電ワイヤ２を牽引又は押し込み操作することにより、図２に二点鎖線で示されるように一対の側孔３，４の間において可撓性チューブ１を弓状に曲げ、或いは導電ワイヤ２の露出部２ａを膨出させることができ、導電ワイヤ２に高周波電流を通電して体内組織を切開することができる。
【００２９】
そして、切開前の位置確認等の必要に応じて、矢印Ａで示されるように造影剤注入口１３から造影剤を注入することにより、矢印Ｂで示されるように、可撓性チューブ１内を経由して先端開口１ａから造影剤を送り出すことができる。
【００３０】
また、圧縮されて可撓性チューブ１内に配置されたコイルスプリング９の作用により、両側孔３，４の間において可撓性チューブ１に曲がり癖が付き難いので、膵胆管内等への誘導を円滑に行うことができると共に、可撓性チューブ１の先端開口１ａが管壁に強く突き当たって塞がれるような状態になり難く、造影剤送出を確実に行うことができる。
【００３１】
なお、本発明は上記実施例に限定されるものではなく、例えば図３に示されるように、ステンレス鋼帯材等を一定の径で螺旋状に巻いた螺旋管２９を軸線方向に圧縮して圧縮コイルスプリングとして用いてもよく、その端部を受ける部材２７で側孔４（又は３）を塞がなくてもよい。
【００３２】
【発明の効果】
本発明によれば、一対の側孔の間の部分の可撓性チューブ内に、可撓性チューブの軸線方向に圧縮した状態でコイルスプリングを配置したことにより、一対の側孔間で導電ワイヤが露出して配置された可撓性チューブの先端近傍部分に曲がり癖が付き難く、挿入性がよく使い易くて耐久性の優れた内視鏡用高周波切開具を得ることができる。
【図面の簡単な説明】
【図１】本発明の第１の実施例の内視鏡用高周波切開具の先端部分の側面断面図である。
【図２】本発明の第１の実施例の内視鏡用高周波切開具の全体構成を示す側面図である。
【図３】本発明の第２の実施例の内視鏡用高周波切開具の先端部分の側面断面図である。
【図４】従来の内視鏡用高周波切開具の使用状態の略示図である。
【図５】従来の内視鏡用高周波切開具の使用状態の略示図である。
【符号の説明】
１  可撓性チューブ
２  導電ワイヤ
３，４  側孔
９  コイルスプリング
２９  螺旋管
【図１】
0004320114.tif 000002
【図２】
0004320114.tif 000003
【図３】
0004320114.tif 000004
【図４】
0004320114.tif 000005
【図５】
0004320114.tif 000006